(57)【要約】【課題】容器からの取り外し行為が行われたときには、それを明確に認識することができる、安全性の高いヒンジキャップを提供する。【解決手段】本発明は、容器口部に嵌合する本体2と、この本体2を取り囲みその一部に連結される周壁3と、この周壁3にヒンジ6を介して連結される蓋体5とを備え、当該蓋体5と共に周壁3を引き上げることで本体2を容器口部から取り外し可能なヒンジキャップ1において、周壁3の上端3e1及び下端3e2との間に、当該周壁3を切断、展開する切断予定線7aを設けると共に、本体側壁2bに、切断予定線7aに繋がり、当該側壁2bを部分的に切り開く第2の切断予定線7bを設けた。【選択図】図６
2010126236.tif 000002
【特許請求の範囲】
【請求項１】
容器口部に嵌合する本体と、この本体を取り囲みその一部に連結される周壁と、この周壁にヒンジを介して連結される蓋体とを備え、
当該蓋体と共に周壁を引き上げることで本体を容器口部から取り外し可能なヒンジキャップにおいて、
前記周壁の上端及び下端との間に、当該周壁を切断、展開する切断予定線を設けたことを特徴とするヒンジキャップ。
【請求項２】
請求項１において、前記本体に、周壁に設けた切断予定線に繋がり、当該本体を部分的に切り開く第２の切断予定線を設けたことを特徴とするヒンジキャップ。
【発明の詳細な説明】
【技術分野】
【０００１】
本発明は、容器からの分別廃棄が可能なヒンジキャップであって、その取り外し操作を視認させるための技術に関するものである。
【背景技術】
【０００２】
従来のヒンジキャップには、容器口部に嵌合する本体を周壁で取り囲んで、本体の一部に連結すると共に、この連結部と対向する位置にヒンジを介して蓋体を連結し、この蓋体の引き上げに伴い本体の嵌合部が周壁との連結部近くで捲り上げられることで、容器からの取り外しを容易にしたものがある（例えば、特許文献１参照）。
【特許文献１】特開２００３−２４６３３８号公報
【発明の開示】
【発明が解決しようとする課題】
【０００３】
こうしたキャップは、通常、本体と周壁との間を破断可能な連結片で繋いでいる。このため、キャップを容器から取り外そうとしたり、容器から取り外して再び取り付けられることがあっても、周壁の状態を視れば、そうした行為が行われたかどうかを確認することができる。
【０００４】
しかしながら、昨今の社会状況を考慮すれば、こうした取り外し行為が行われたことを、より明確に認識することができるかどうかは、使用者にあって重要な問題である。
【０００５】
本発明の目的とするところは、容器からの取り外し行為が行われたときには、それを明確に認識することができる、安全性の高いヒンジキャップを提供することにある。
【課題を解決するための手段】
【０００６】
本発明は、容器口部に嵌合する本体と、この本体を取り囲みその一部に連結される周壁と、この周壁にヒンジを介して連結される蓋体とを備え、
当該蓋体と共に周壁を引き上げることで本体を容器口部から取り外し可能なヒンジキャップにおいて、
前記周壁の上端及び下端との間に、当該周壁を切断、展開する切断予定線を設けたことを特徴とするものである。
【０００７】
また、前記本体には、周壁に設けた切断予定線に繋がり、当該本体を部分的に切り開く第２の切断予定線を設けることもできる。
【０００８】
切断予定線は、周壁の引き上げに伴い部分的に切り開かれる構成のものであれば、様々な形態のものを適用できる。こうした切断予定線としては、例えば、破断可能な複数の切り込みで形作られたものや、膜状に構成された薄肉部で形作られたもの、或いは、スリット等で形作られた予め隙間をなす分離線を、破断可能な連結片によって間欠的に連結したものが挙げられる。
【０００９】
また、切断予定線は、周壁又は本体であればいずれの場所にも設けることができるが、例えば、前記連結部に隣接配置するものが挙げられる。
【発明の効果】
【００１０】
本発明では、本体を取り囲んで連結される周壁の上端及び下端との間に、当該周壁を切断、展開する破断予定線を設けることで、蓋体を介して周壁を引っ張って取り外そうとすれば、その痕跡が周壁の分断による展開という外観形状として現れる。このため、ヒンジキャップに対して取り外し行為が行われた場合には、周壁の外観形状から当該行為が行われたかどうかを明確に認識することができる。
【００１１】
従って、本発明によれば、容器からの不正な取り外し行為が行われたときには、それを明確に認識することができる、安全性の高いヒンジキャップを提供することができる。
【００１２】
更に、前記本体に、周壁に設けた切断予定線に繋がり、当該本体を部分的に切り開く第２の切断予定線を設ければ、取り外し行為が行われたかどうかを、より明確に認識することができるので、取り外し行為に関する安全性を更に高めることができる。
【発明を実施するための最良の形態】
【００１３】
以下、図面を参照して、本発明であるヒンジキャップを詳細に説明する。
【００１４】
図１は、本発明の第１の形態であるヒンジキャップ１を開放側から示した要部正面図であり、図２は、図１のＸ−Ｘ断面図である。また、図３は、同キャップに対して容器２０からの取り外し操作を行ったときの作用を示す要部斜視図であり、また、図４は、同キャップに対して取り外し操作を行った後の効果を示す要部斜視図である。
【００１５】
符号２は、図２に示す如く、容器２０の口部（以下、「容器口部」という）２１に固定される本体である。本体２は、容器口部２１の上側に配置される天壁２ａと、この天壁２ａの外縁から垂下して容器口部２１の外周面を取り囲む側壁（以下、「本体側壁」という）２ｂとを有する。
【００１６】
天壁２ａには、注出筒２ａ1が一体に起立し、その内側には、プルリング２ａ2を一体に備える封止栓２ａ3が設けられている。封止栓２ａ3は、注出筒２ａ1の内側に、プルリング２ａ2の引き上げより破断可能な薄肉部２ａ4を介して一体に繋がる。これにより、プルリング２ａ2を利用して封止栓２ａ3を引き上げると、薄肉部２ａ4が切断されることで、注出筒２ａ1の内側には、容器２０の内側に通じる注出口が形成される。
【００１７】
本体側壁２ｂの内周面には、容器口部２１の外周面に設けた係合突部２１ｐに嵌合する環状の突起２ｃが形成されている。
【００１８】
符号３は、本体側壁２ｂを取り囲む周壁である。周壁３は、図２に示すように、本体側壁２ｂの前方下端付近が連結部４を介して一体に連結されていると共に、本体側壁２ｂの後方下端付近も、軸線Ｏ周りに間隔を配置された破断可能な複数の連結片ａを介して一体に連結されている。これにより、周壁３は、本体側壁２ｂとの間に隙間Ｓを生じさせるように配置される。
【００１９】
符号５は、周壁３における、連結部４と対向する位置にヒンジ６を介して一体に連結され天壁２ａを開閉可能な蓋体である。蓋体５は、蓋体５を開いて引っ張ることで、周壁３に対する引張りを生起させる操作片として機能する。即ち、蓋体５を開いて引き上げることで、複数の連結片ａが順次切断された後、周壁３は、連結部４を基点に引き上げられることになる。これにより、本体側壁２ｂが連結部４近くで捲り上げられることで、容器口部２１からの取り外しが容易になる。
【００２０】
符号７ａは、周壁３に設けられた切断予定線である。切断予定線７ａは、図１に示すように、周壁３の上端３ｅ1から下端３ｅ2に向かって延在する薄肉部で形作られ、周壁３の上端３ｅ1と下端３ｅ2との間を縦断する。更に詳細には、連結部４近傍位置の周壁上端３ｅ1から周壁３の中間部まで軸線Ｏに沿って伸びる縦の薄肉部を形成し、さらに下端３ｅ2に向けて斜めに設けている。
【００２１】
即ち、本形態では、切断予定線７ａがキャップ軸線Ｏ周りに間隔を空けて連結部４の側部に隣接配置されている。これにより、蓋体５を介して周壁３を引き上げると、切断予定線７ａは、図３に示すように、周壁３に対する引っ張りに伴い切断された状態となり、周壁３を展開する分断部Ｂを形成する。
【００２２】
本形態では、周壁３に、この周壁３に対する引っ張りに伴い切断される切断予定線７ａを設けたことで、蓋体５を介して周壁３を引っ張って取り外そうとすれば、その痕跡が図４に示すように周壁３の外観形状の一部に分断部Ｂとして現れる。このため、ヒンジキャップ１に対して取り外し行為が行われた場合には、周壁３の外観形状から当該行為が行われたかどうかを明確に認識することができる。
【００２３】
従って、本形態のヒンジキャップ１は、容器２０からの取り外し行為が行われたときには、それを明確に認識することができる、安全性の高いヒンジキャップとなる。なお、図３では、連結片ａの痕跡を省略している。
【００２４】
また、本形態の如く、切断予定線７ａを連結部４に隣接配置すれば、周壁３の切断が容易になるため、取り外し行為に関する安全性を更に高めることができる。
【００２５】
図５は、本発明の第２の形態である、第１の形態の変形例を蓋体開放状態で示す斜視図であり、また、図６は、同キャップに対して容器２０からの取り外し操作を行ったときの作用効果を示す要部斜視図である。なお、他の形態と実質的に同一な部分は同一符号をもって、その説明を省略する。
【００２６】
本形態では、本体側壁２ｂに第２の切断予定線７ｂが配置されている。切断予定線７ｂも、切断予定線７ａと同様、薄肉部で形作られ、図６に示すように、連結部４の上側隅部から側部を通って下端３ｅ1に繋がる。これにより、蓋体５を介して周壁３を引き上げると、複数の連結片ａが順次切断された後、切断予定線７ａ，７ｂはそれぞれ、図６に示すように、切断予定線７ａは、周壁３に対する引っ張りに伴い当該周壁３を切断、展開して分断部Ｂを形成する一方、切断予定線７ｂは、周壁３に対する引っ張りに伴い部分的に切り開かれた状態となり、本体側壁２ｂに切り込み部Ｃを形成する。
【００２７】
本形態の如く、本体側壁２ｂに、周壁３に設けた切断予定線７ａに繋がり、当該本体側壁２ｂを部分的に切り開く第２の切断予定線７ｂを設ければ、図６に示すように、取り外し行為が行われたかどうかを、より明確に認識することができるので、取り外し行為に関する安全性を更に高めることができる。また、こうした効果は、本形態の如く、切断予定線７ｂを、連結部４に隣接配置した場合も同様である。なお、図６でも、連結片ａの痕跡を省略している。
【００２８】
上述したところは、本発明の好適な形態をしたものであるが、特許請求の範囲において、種々の変更を加えることができる。例えば、切断予定線７ａ，７ｂのレイアウトは、必ずしも、本形態のように、連結部４との相対な位置関係で規定する必要は無い。また、連結部４は、周壁３の本体側壁２ｂの前方上端付近にて周壁３を一体に連結することもできる。
【図面の簡単な説明】
【００２９】
【図１】本発明の第１の形態であるヒンジキャップを開放側から示した要部正面図である。
【図２】図１のＸ−Ｘ断面図である。
【図３】同キャップに対して容器２０からの取り外し操作を行ったときの作用を示す要部斜視図である。
【図４】同キャップに対して取り外し操作を行った後の効果を示す要部斜視図である。
【図５】本発明の第２の形態である、第１の形態の変形例を蓋体開放状態で示す斜視図である。
【図６】同キャップに対して容器２０からの取り外し操作を行ったときの作用効果を示す要部斜視図である。
【符号の説明】
【００３０】
１    ヒンジキャップ
２    本体
２ａ  天壁
２ａ1 注出筒
２ａ2 プルリング
２ａ3 封止栓
２ａ4 薄肉部
２ｂ  本体側壁
２ｃ  嵌合突起
３    周壁
３ｅ1  周壁上端
３ｅ2  周壁下端
５    蓋体
６    ヒンジ
７ａ  切断予定線
７ｂ  第２の切断予定線
２０  容器
２１  容器口部
【図１】
2010126236.tif 000003
【図２】
2010126236.tif 000004
【図３】
2010126236.tif 000005
【図４】
2010126236.tif 000006
【図５】
2010126236.tif 000007
【図６】
2010126236.tif 000008